(57)【特許請求の範囲】
【請求項１】
起立された支持材に上下移動自在に支持され且つワイヤにて昇降自在に吊支された駆動装置に掘削作業ロッドを連結した掘削作業機において、
上記支持材および駆動装置のいずれか一方に、保持アームを他方がわへ進退自在に支持させると共に、他方に、上記進出時の保持アームに当接して上記駆動装置の降下を阻止する位置に降下阻止部材を設け、
上記保持アームを進退させる駆動手段を備えた、
掘削作業機における駆動装置落下防止装置。
【請求項２】
上記一方の保持アームの先端部に係止部材を設け、上記他方に、上記進出時の保持アームの係止部に係止して該保持アームの後退を阻止する位置に後退阻止部材を設けた、
請求項１に記載の掘削作業機における駆動装置落下防止装置。
【発明の詳細な説明】
【０００１】
【発明の属する技術分野】
本発明は、マスト等の支持材に駆動装置を上下移動自在に支持させると共に、ワイヤにより昇降自在に吊支し、該駆動装置にオーガスクリュー、掘削ロッド、撹拌ロッド等の掘削作業ロッドを接続してなる掘削作業機における駆動装置の落下防止装置に関する。
【０００２】
【従来の技術】
従来、例えば掘削ロッドを有する掘削機において、掘削ロッドのほぼ全長を地中に掘進し、ついで駆動装置を掘削ロッドから分離してワイヤにより吊り上げた後新たなロッドを継ぎ足す場合のように、ワイヤで吊り上げた駆動装置の下方で種々の作業を行う場合、あるいは掘削前または掘削後にベースマシンを、掘削ロッドを吊支したまま、所要位置に移動させる場合等において、万一ワイヤが切断したり、誤動作によりワイヤがゆるめられたときは、高重量の駆動装置が地上に落下して重大な事故を招くこととなる。しかし従来は、このような事故に対する安全対策についてほとんど考慮が払われていないのが実状である。
【０００３】
【発明が解決しようとする課題およびその解決手段】
本願第１発明は、ロッド継足し作業等においてワイヤが切断したり、ゆるんでも駆動装置の落下を確実に防止することを課題とし、その解決手段として、
起立された支持材に上下移動自在に支持され且つワイヤにて昇降自在に吊支された駆動装置に掘削作業ロッドを連結した掘削作業機において、
上記支持材および駆動装置のいずれか一方に、保持アームを他方がわへ進退自在に支持させると共に、他方に、上記進出時の保持アームに当接して上記駆動装置の降下を阻止する位置に降下阻止部材を設け、
上記保持アームを進退させる駆動手段を備えた、
掘削作業機における駆動装置落下防止装置を提案し、
【０００４】
本願第２発明は、上記第１発明において、保持アームにより駆動装置の落下を阻止しているときに、上記保持アーム進退駆動装置の誤動作により該保持アームを後退駆動させた場合に該保持アームの後退を阻止することを課題とし、その解決手段として、
上記一方の保持アームの先端部に係止部を設け、上記他方に、上記進出時の保持アームの係止部に係止して該保持アームの後退を阻止する位置に後退阻止部材を設けた、
掘削作業機における駆動装置落下防止装置を提案する。
以下図面を参照して本願発明の実施例について説明する。
【０００５】
【実施例】
図１において、ベースマシン（１）の前端部に支持材としてマスト（２）を垂直に支持し、該マスト（２）に敷設された長手方向全長に及ぶガイドレール（３）、（３）に回転駆動装置（４）を上下移動自在に支持させると共にトップシーブ（５）から垂下したワイヤ（６）により昇降自在に吊支し、該駆動装置（４）に本例では撹拌羽根（８）…を有する掘削撹拌ロッド（７）を連結してある。上記駆動装置（４）は、図２、３に示すように背板（１０）と底板（１１）からなるホルダー（９）にモータおよび減速機等を含む回転駆動手段を搭載したもので、その背板（１０）の背面に突設されたスライド金具（１２）…を上記ガイドレール（３）、（３）に摺動自在に係合して支持してあり、この駆動装置（４）の落下を防止する装置（Ａ）がマスト（２）の上端に近い位置に装備してある。
【０００６】
上記落下防止装置（Ａ）の構成は次のようである。図２、３において、上記マスト（２）の側面に突設されたブラケット（１３）に角筒状案内筒（１４）を、上記駆動装置（４）の背板（１０）に直角に向けて水平に固定し、該案内筒（１４）内に角棒からなる保持アーム（１５）を上記駆動装置の背板（１０）がわへ進退できるように保持させると共に、該保持アーム（１５）を進退させる駆動手段として、油圧シリンダ（１６）の一端を上記案内筒（１４）の外側面に連結し、そのピストンロッド（１７）の先端を上記保持アーム（１５）の後端部に連結してあり、一方、上記背板（１０）の背面に、降下阻止ブロック（１８）を突設してある。
【０００７】
この場合上記保持アーム（１５）は、進出時にアーム先端部を上記阻止ブロック（１８）の昇降軌道内の位置（昇降阻止位置）に置いて駆動装置（４）の昇降を阻止し、後退時にアーム先端部を上記阻止ブロック（１８）の昇降軌道内から離脱した位置（昇降許容位置）に置いて駆動装置（４）の昇降を許す位置関係にある。
【０００８】
上例の作用は次のようである。保持アーム（１５）が昇降許容位置に後退している図１〜３の状態から掘削撹拌ロッド（７）を回転させて掘削撹拌を行い、該掘削撹拌ロッド（７）のほぼ全長を地中に掘進したら、駆動装置（４）を撹拌ロッド（７）から分離し、ワイヤ（６）の巻取りによりマスト（２）の最上部まで上昇させ、次に、落下防止装置（Ａ）の進退駆動用油圧シリンダ（１６）の駆動により保持アーム（１５）を図２、３の仮想線で示すような昇降阻止位置に進出させ、ついで駆動装置（４）をワイヤ（６）の巻戻しにより若干降下させて図４のように降下阻止ブロック（１８）を上記保持アーム（１５）先端部上に当接し、そこでワイヤ（６）を適宜ゆるめて駆動装置（４）全体を上記支持アーム（１５）上に受支させると共に、ワイヤ（６）を若干ゆるめた状態におく。
【０００９】
その状態で、新たなロッドを上記駆動装置（４）と先行撹拌ロッド（７）の間に吊りこみ、上記新たなロッドの下端を先行撹拌ロッド（７）の上端に接続し、ついで新たなロッドの上端を駆動装置に接続する。
【００１０】
上記の作業中、ワイヤ（６）はゆるめてあるからワイヤ切断のおそれはなく、また誤動作によりワイヤ（６）の巻き戻しが行われても、駆動装置（４）は保持アーム（１５）に受支されて落下することはない。
【００１１】
ロッド継足し完了後は駆動装置（４）を若干上昇させ、保持アーム（１５）を昇降許容位置に後退させた後掘削撹拌を再開する。
【００１２】
上例の他の使用例として、落下阻止ブロック（１８）が支持アーム（１５）の上端部上に若干間隔をあけて位置するように駆動装置（４）をワイヤ（６）で吊支し、ワイヤ（６）が万一切断もしくは誤動作により巻き戻されたときに、落下阻止ブロック（１８）が支持アーム（１５）先端部上に降下して受支されるようにする。
【００１３】
上記第１発明の他の実施例として、上記案内筒（１４）、保持アーム（１５）および油圧シリンダ（１６）を駆動装置（４）がわ、例えば底板（１１）の下面に、取りつけ、一方の降下阻止ブロック（１８）をマスト（２）の側面に突設し、他の構造は上例と実質的に同一のものがえられる。本例においては、保持アーム（１５）の先端部を降下阻止ブロック（１８）上に当接させて駆動装置（４）全体を降下阻止ブロック（１８）に受支させ、落下を防止することとなる。
【００１４】
次に、昇降阻止位置に進出した保持アーム（１５）により駆動装置（４）を受支しているとき、誤動作により保持アーム（１５）を後退させようとしたとき該保持アーム（１５）を昇降阻止位置に引き続き留める装置を具備する他の落下防止装置について説明する。図２、３において、保持アーム（１５）の先端部側面に係止板（２０ａ）を直角に突設し、一方駆動装置（４）がわの降下阻止ブロック（１８）の下面に、後退阻止板（２１ａ）を上記係止板（２０ａ）の進退軌道の上方に位置させた状態で、下向きに直角に突設してある。
【００１５】
この場合上記係止板（２０ａ）の進退軌道と上記後退阻止板（２１ａ）の昇降軌道とは互に交錯し、しかも保持アーム（１５）が昇降阻止位置に進出しているとき後退阻止ブロック（２１ａ）が降下すると、該後退阻止ブロック（２１ａ）が係止板（２０ａ）のマスト（２）がわに降下して保持アーム（１５）の後退を阻止し、保持アーム（１５）が昇降許容位置に後退しているときは後退阻止ブロック（２１ａ）が支障なく降下できる位置関係にある。
【００１６】
上例によれば、保持アーム（１５）を昇降阻止位置に進出させ、該保持アーム先端部上に降下阻止ブロック（１８）をのせて駆動装置（４）全体を受支させた状態において、誤動作により進退駆動用油圧シリンダ（１６）を伸長させ、保持アーム（１５）を後退させようとすると、アーム先端の係止板（２０ａ）が後退阻止板（２１ａ）に当接して後退を阻止され、それにより駆動装置（４）を引き続き受支する。
【００１７】
【発明の効果】
本願第１発明の掘削作業機における駆動装置落下防止装置によれば、駆動装置をワイヤで吊支した状態でロッド継足し等の作業を行う場合に予め保持アームを進出させて降下阻止部材に当接しておくことにより、ワイヤが切断したり、誤動作によりワイヤがゆるめられた場合に駆動装置を落下させずに受支することができ、それにより作業の安全を果すことができるのである。
【００１８】
本願第２発明の掘削作業機における駆動装置落下防止装置によれば、上記第１発明の効果に加え、保持アームの進出により駆動装置を受支しているときに、誤動作により上記保持アームを進退させる駆動手段を駆動させて保持アームを後退させようとしたときは、保持アームの係止部が後退阻止部材に係止して保持アームの後退を阻止し、それにより駆動装置の落下を防止することができる。
【図面の簡単な説明】
【図１】掘削撹拌機の側面図である。
【図２】落下防止装置部分の一部切欠拡大側面図である。
【図３】図２のＩＩＩ−ＩＩＩ線断面図である。
【図４】駆動装置を受支した状態の図２と同様の側面図である。
【符号の説明】
２  マスト
４  駆動装置
６  ワイヤ
７  掘削撹拌ロッド
１４  案内筒
１５  保持アーム
１６  進退駆動用油圧シリンダ
１８  降下阻止ブロック
２０ａ  係止板
２１ａ  後退阻止板
【図１】
0003658736.tif 000002
【図２】
0003658736.tif 000003
【図３】
0003658736.tif 000004
【図４】
0003658736.tif 000005